(57)【特許請求の範囲】
【請求項１】
各種の施設に隣接されて駐車スペース毎に区切られた複数の区画を有する駐車場における前記区画の割当てを行う駐車場管理装置において、
施設の利用者を識別するための利用者識別情報と該利用者の歩行困難の度合いが困難であるほど大きい値が設定された障害度とを対応付けて格納する障害度情報データベースと、
前記区画について夫々、前記施設の連絡路との距離が近いほど高い値が設定された優劣度を、前記区画を各識別するための区画識別情報に対応付けて格納する区画情報データベースと、
利用者識別情報を受付ける受付部と、該受付部で受付けた利用者識別情報に対応する利用者の障害度を前記障害度情報データベースから抽出する障害度抽出部と、
該障害度抽出部で抽出した利用者の障害度が大きいほど、該利用者に割当てるべき区画の優劣度を高く決定する優劣度決定部と、
該優劣度決定部で決定した優劣度に対応する区画識別情報を前記区画情報データベースから抽出する区画抽出部と、
該区画抽出部で抽出した区画識別情報を前記受付部で受付けた利用者識別情報に対応付けて出力する出力部と
を備えることを特徴とする駐車場管理装置。
【請求項２】
前記区画に駐車されていないことを示す空情報を該区画を示す区画識別情報と共に取得する空情報取得部と、
該空情報取得部で取得した空情報を区画識別情報に対応付けて前記区画情報データベースに格納する記憶制御部と
を更に備え、
前記区画抽出部は、空情報を対応付けてある区画識別情報のいずれかを割当てるべき区画を示す区画識別情報として抽出するようにしてあること
を特徴とする請求項１に記載の駐車場管理装置。
【請求項３】
利用者の身体障害の原因となる疾病の治癒又は進行の度合いを取得する度合取得部と、
該度合取得部で取得した疾病の治癒又は進行の度合いに対応する重みによって該障害度抽出部で抽出した利用者の障害度に重付けを行う演算部と
を備え、
前記優劣度決定部は、前記演算部で重付けをした利用者の障害度に応じて利用者に割当てるべき区画の優劣度を決定するようにしてあることを特徴とする請求項１又は２に記載の駐車場管理装置。
【請求項４】
利用者の乗車地点を示す座標を取得する乗車地点取得部と、
該乗車地点取得部で取得した座標と前記施設の座標との距離に基づいて利用者の移動距離を算出する距離算出部と
を更に備え、
前記優劣度決定部は、利用者の障害度と前記距離算出部で算出した利用者の移動距離との関係に基づいて利用者に割当てるべき区画の優劣度を決定するようにしてあることを特徴とする請求項１乃至３のいずれかに記載の駐車場管理装置。
【請求項５】
該障害度抽出部で抽出した利用者の障害度が予め設定された所定の閾値以下である否かを判定する判定部
を備え、
前記区画抽出部は、利用者の障害度が所定の閾値以下であると前記判定部で判定した場合、区画識別情報を前記区画情報データベースから抽出しないようにしてあることを特徴とする請求項１乃至４のいずれかに記載の駐車場管理装置。
【請求項６】
コンピュータに、各種の施設に隣接されて駐車スペース毎に区切られた複数の区画を有する駐車場における前記区画の割当てさせるコンピュータプログラムにおいて、
利用者識別情報を受付けるステップと、
受付けた利用者識別情報に対応する利用者の障害度を、施設の利用者を識別するための利用者識別情報と該利用者の歩行困難の度合いが困難であるほど大きい値が設定された障害度とを対応付けて格納してある障害度情報データベースから抽出させるステップと、
抽出した利用者の障害度が大きいほど、該利用者に割当てるべき区画の優劣度を高く決定させるステップと、
決定された優劣度に対応する区画識別情報を、区画について夫々、前記施設の連絡路との距離が近いほど高い値が設定された優劣度を前記区画を識別するための区画識別情報に対応付けて格納してある区画情報データベースから抽出させるステップと、
抽出した区画識別情報を受付けた利用者識別情報に対応付けて出力させるステップと
をコンピュータに実行させることを特徴とするコンピュータプログラム。
【発明の詳細な説明】
【技術分野】
【０００１】
本発明は、車両に駐車可能な区画を割り当てる駐車場管理装置及びコンピュータプログラムに関し、特に、駐車可能な区画を乗員が有する身体障害の程度に応じて割り当てる駐車場管理装置及びコンピュータプログラムに関する。
【背景技術】
【０００２】
従来、病院又は診療所に隣接する駐車場にあっては、診療予約をしている患者、又は予約をしていない初診の患者が乗車する車両を区別することなく駐車させていたので、満車状態に陥りやすかった。そのため、駐車場を利用する患者は、代わりとなる駐車場の確保に時間を取られて予約の時間に間に合わないという問題に直面していた。
【０００３】
特に、都市部の病院の駐車場にあっては、多数の車両を駐車させるためのスペースを有し難く、上述のような問題が深刻になっている。
【０００４】
そこで、従来、予約をしていない訪問者の車両による駐車を制限することにより、予約をしている訪問者の車両の駐車スペースを確保するようにしてある管理装置が提案された（例えば、特許文献１）。また、店舗付近の駐車スペースを予約するための支援装置が提案された（例えば、特許文献２）。
【特許文献１】特開２００７−２８６６８４号公報
【特許文献２】特開２００１−３５７１４７号公報
【発明の開示】
【発明が解決しようとする課題】
【０００５】
しかしながら、特許文献１又は２に記載されている装置は、駐車スペースを訪問者に提供することできても、訪問者の身体障害の程度まで考慮していないので、例えば、足を骨折して歩行困難な訪問者の車両を施設の建物から最も遠い場所に駐車させるようなこともあり得る。その結果、訪問者は、駐車場所から施設の建物まで長距離の歩行を強いられ、車両にて訪問した利便性を失う。
【０００６】
本発明はかかる事情に鑑みてなされたものであり、各種の施設に隣接されて駐車スペース毎に区切られた複数の区画を有する駐車場における前記区画の割当てを行う駐車場管理装置で施設の利用者を識別するための利用者識別情報を受け付け、受け付けた利用者識別情報に対応する利用者の身体障害の程度をこれを格納しているデータベースから抽出し、抽出した利用者の身体障害の程度に応じて利用者に割り当てるべき区画の優劣度を決定し、決定した区画の優劣度に対応する区画識別情報を出力することにより、利用者の身体障害の程度に応じて駐車スペースの割当てを優先的に行うことができる駐車場管理装置及びコンピュータプログラムを提供することを目的とする。
【課題を解決するための手段】
【０００７】
この装置は、各種の施設に隣接されて駐車スペース毎に区切られた複数の区画を有する駐車場における前記区画の割当てを行う駐車場管理装置において、施設の利用者を識別するための利用者識別情報と該利用者の歩行困難の度合いが困難であるほど大きい値が設定された障害度とを対応付けて格納する障害度情報データベースと、前記区画について夫々、前記施設の連絡路との距離が近いほど高い値が設定された優劣度を、前記区画を各識別するための区画識別情報に対応付けて格納する区画情報データベースと、利用者識別情報を受付ける受付部と、該受付部で受付けた利用者識別情報に対応する利用者の障害度を前記障害度情報データベースから抽出する障害度抽出部と、該障害度抽出部で抽出した利用者の障害度が大きいほど、該利用者に割当てるべき区画の優劣度を高く決定する優劣度決定部と、該優劣度決定部で決定した優劣度に対応する区画識別情報を前記区画情報データベースから抽出する区画抽出部と、該区画抽出部で抽出した区画識別情報を前記受付部で受付けた利用者識別情報に対応付けて出力する出力部とを備えることを要件とする。
【０００８】
また、このコンピュータプログラムは、コンピュータに、各種の施設に隣接されて駐車スペース毎に区切られた複数の区画を有する駐車場における前記区画の割当てさせるコンピュータプログラムにおいて、利用者識別情報を受付けるステップと、受付けた利用者識別情報に対応する利用者の障害度を、施設の利用者を識別するための利用者識別情報と該利用者の歩行困難の度合いが困難であるほど大きい値が設定された障害度とを対応付けて格納してある障害度情報データベースから抽出させるステップと、抽出した利用者の障害度が大きいほど、該利用者に割当てるべき区画の優劣度を高く決定させるステップと、決定された優劣度に対応する区画識別情報を、区画について夫々、前記施設の連絡路との距離が近いほど高い値が設定された優劣度を前記区画を識別するための区画識別情報に対応付けて格納してある区画情報データベースから抽出させるステップと、抽出した区画識別情報を受付けた利用者識別情報に対応付けて出力させるステップとをコンピュータに実行させることを要件とする。
【０００９】
この装置は、施設の利用者を識別するための利用者識別情報を受け付け、受け付けた利用者識別情報に対応する利用者の身体障害の程度をこれを格納しているデータベースから抽出することにより、例えば、施設までの歩行が困難であるなど、利用者の身体障害の程度を把握する。また、この装置は、抽出した利用者の身体障害の程度に応じて利用者に割り当てるべき区画の優劣度を決定することにより、例えば、施設への距離が短いほど区画の優劣度を高くなるように予め設定し、身体障害の程度が大きくなるほど高い値の優劣度を割り当てるように決定する。また、この装置は、決定した区画の優劣度に対応する区画識別情報を出力することにより、利用者に最適な区画を割り当てる。
【００１０】
また、このコンピュータプログラムは、コンピュータに施設の利用者を識別するための利用者識別情報を受け付け、受け付けた利用者識別情報に対応する利用者の身体障害の程度をこれを格納しているデータベースから抽出させることにより、例えば、施設までの歩行が困難であるなど、利用者の身体障害の程度を把握させる。また、このコンピュータプログラムは、抽出した利用者の身体障害の程度に応じて利用者に割り当てるべき区画の優劣度をコンピュータに決定させることにより、例えば、施設への距離が短いほど区画の優劣度を高くなるように予め設定し、身体障害の程度が大きくなるほど高い値の優劣度を割り当てるように決定させる。また、このコンピュータプログラムは、決定した区画の優劣度に対応する区画識別情報を出力することにより、コンピュータに最適な区画を割り当てさせる。
【発明の効果】
【００１１】
開示する装置及びコンピュータプログラムにあっては、施設の利用者への駐車スペースを確保すると共に、利用者の身体障害の程度に応じて利用しやすい最適な区画を割り当てることができる。
【発明を実施するための最良の形態】
【００１２】
以下、本発明に係る駐車場管理装置、コンピュータプログラム及びこれらに関連する装置について実施の形態を示す図に基づいて説明する。図１は本発明に係る駐車場管理装置を用いたシステムの全体構成を示す模式図である。以下、本発明の施設を病院とし、利用者を患者とする一例を説明する。
【００１３】
図中１は、入庫用カード読書装置である。入庫用カード読書装置１は、検知範囲内に侵入してきた車両に乗車する患者のＩＤ、即ち本発明の利用者識別情報の入力を患者に要求する。患者は、例えば、患者ＩＤを記憶してあるメモリを内蔵する診療カード（図示せず。以下同じ。）を入庫用カード読書装置１の挿入口に挿入する。入庫用カード読書装置１は、挿入された診療カードから患者ＩＤを読み取り、読み取った患者ＩＤを通信線を介して後述する駐車場管理装置２へ送信する。
【００１４】
駐車場管理装置２は、本発明に係る駐車場管理装置に該当し、駐車場内又は病院の建物内に設置され、駐車場管理者により操作される。駐車場管理装置２は、入庫用カード読書装置１、後述する出庫用カード読書装置３及び在車センサ４と接続し、これらの装置との間で情報の授受を行う。駐車場管理装置２は、入庫用カード読書装置１から受け付けた情報に基づいて患者の身体障害の程度を把握し、把握した患者の身体障害の程度に応じて現時点で好適と思われる区画を患者に割り当て、割り当てた区画の識別情報を入庫用カード読書装置１を介して患者に出力する。
【００１５】
出庫用カード読書装置３は、検知範囲内に侵入してきた車両の乗車する患者のＩＤを患者に要求する。患者は、診療カードを出庫用カード読書装置３へ挿入する。出庫用カード読書装置３は、挿入された診療カードから患者ＩＤを読み取り、読み取った患者ＩＤを通信線を介して駐車場管理装置２へ送信する。駐車場管理装置２は、出庫用カード読書装置３から患者ＩＤを受け付け、患者ＩＤが示す患者に割り当てた区画を在車状態から空き状態に更新する。尚、駐車場管理装置２の構成及び作用については、後述にて説明する。
【００１６】
本発明の駐車場は、病院に隣接された平面駐車場であり、駐車スペース毎に区切られた複数の区画と、病院への連絡口Ｇとを備える。各区画には、区画内が在車状態であることを検知する在車センサ４が埋設されている。在車センサ４は、自ら設置されている区画が在車状態になったとき、信号を通信線を介して駐車場管理装置２へ送信する。
【００１７】
図２は本発明に係る駐車場管理装置２の構成を示すブロック図である。駐車管理装置２は、患者ＩＤを受け付けるための入力部２０１と、入力部２０１から受け付けた患者ＩＤが示す患者の身体障害の程度を後述する障害度情報データベース２０３から抽出する障害度抽出部２０２と、患者ＩＤと患者の障害度とを対応付けて格納する障害度情報データベース２０３と、病院が担当する患者の電子カルテを格納する電子カルテデータベース２０４と、患者ＩＤが示す患者が患う疾病の治癒又は進行の度合いを取得する度合取得部２０５と、度合取得部２０５で取得した治癒又は進行の度合いに対応する重み、又はその他の重みによって障害度抽出部２０２で抽出した利用者の身体障害の程度に重み付けを行う演算部２０６と、利用者の身体障害の程度が所定の閾値以下であるか否かを判定する判定部２０７と、利用者の身体障害の程度に応じて割り当てるべき区画の優劣度を決定する優劣度決定部２０８と、区画の優劣度を区画を識別するための区画識別情報に対応付けて格納する区画情報データベース２０９と、優劣度決定部２０８で決定した優劣度に対応する区画識別情報を区画情報データベース２０９から抽出する区画抽出部２１０と、区画抽出部２１０で抽出した区画識別情報を出力するための出力部２１１と、出庫用カード読書装置３又は在車センサ４から区画の空き状態を取得する空情報取得部２１２と、空情報取得部２１２で取得した区画の空き状態を区画情報データベース２０９に記憶するための記憶制御部２１３と、患者の乗車地点となる住所を電子カルテデータベース２０４から抽出する乗車地点取得部２１４と、乗車地点取得部２１４で取得した住所の座標と病院の座標との距離を算出する距離算出部２１５と、コンピュータプログラム及び各種データを記憶してある補助記憶部２１６と、上述したコンピュータプログラムに従って各ハードウェアの動作を制御する制御部２００とを備える。各ハードウェアは、通信線を介して相互に接続されている。
【００１８】
駐車場管理装置２は、障害度情報データベース２０３、電子カルテデータベース２０４、区画情報データベース２０９及び補助記憶部２１６に記憶してある各種データに基づいて所定の処理を実行する。そこで、以下これらのデータベース及びその他のデータの内容について説明する。
【００１９】
図３は障害度情報データベース２０３の格納例を示す図である。障害度情報データベース２０３は、患者ＩＤ、氏名及び患者の障害度を対応付けて格納する障害度情報テーブルＴ１を複数蓄積する。患者ＩＤは、本発明の利用者識別情報に該当し、電子カルテデータベース２０４との関連キーとなる。氏名は、患者ＩＤが示す患者の氏名である。障害度は、患者の身体障害の程度を示す指標であり、疾病名毎に予め設定されている。患者の身体障害とは、例えば、視覚障害、聴覚障害、下肢不自由、心臓機能障害などが該当し、歩行困難な場合に相当する。設定された障害度及び疾病名の対応関係は、補助記憶部２１６に記憶してある障害度一覧Ｄ１に格納されている。障害度情報テーブルＴ１は、駐車場管理者により新規作成又は更新される。
【００２０】
図４は障害度一覧Ｄ１の格納例を示す図である。障害度一覧Ｄ１は、駐車場管理者により新規作成又は更新される。障害度一覧Ｄ１は、疾病名及び障害度を対応づけて格納する。
【００２１】
疾病名は、電子カルテデータベース２０４に格納されているものに相当する。尚、念のため述べると、図示している「妊娠」は病気ではないが患者の身体的機能を阻害しているので、本実施の形態にあっては疾病の一例として扱う。障害度は、上述するように駐車場管理者により設定される。
【００２２】
図５は重みテーブルＤ２の格納例を示す図である。演算部２０６で用いる疾病の治癒又は進行の度合いに対応する重みは、テーブルＤ２に格納されている。重みテーブルＤ２は、駐車場管理者により新規作成又は更新され、補助記憶部２１６に記憶される。重みテーブルＤ２は、疾病名と、疾病の治癒又は進行の度合いに対応する重みとを対応づけて格納する。
【００２３】
疾病名は、電子カルテデータベース２０４に格納されているものに相当する。疾病の治癒又は進行の度合いは、例えば、疾病の経過期間が該当する。疾病の治癒又は進行の度合いに対応する重みは、疾病の経過期間単位で設定され、例えば、骨折においては経過期間が長くなるほど低くなるよう、即ち疾病が治癒しているとして設定され、妊娠においては経過期間が長くなるほど高くなるよう、即ち疾病が進行しているとして設定されている。
【００２４】
尚、本実施の形態では、障害度に積算するための係数を重みとする一例を説明するが（図５（ａ）参照）、これに限るものでなく、障害度に加算又は減算する値を重みとしてもよい（図５（ｂ）参照）。
【００２５】
図６は重みテーブルＤ３の格納例を示す図である。上述した疾病の治癒又は進行の度合いに対応する重み以外の重みは、重みテーブルＤ３に格納されている。重みテーブルＤ３は、駐車場管理者により新規作成又は更新され、補助記憶部２１６に記憶される。重みテーブルＤ３は、患者の身体的特徴と、重みとを対応づけて格納する。
【００２６】
患者の身体的特徴は、例えば、患者が５０歳以上の高齢者であること、患者が１２歳以下の児童であること、又は患者が車椅子を使用していることなどを示す。重みは、身体的特徴に応じて設定される。
【００２７】
尚、本実施の形態では、障害度に加算又は減算する値を重みとする一例を説明するが（図６参照）、これに限るものでなく、障害度に積算するための係数を重みとしてもよい。
【００２８】
図７は電子カルテデータベース２０４の格納例を示す図である。患者の疾病名、住所などの個人情報は、電子カルテデータベース２０４に格納されている。電子カルテデータベース２０４は、患者ＩＤ、氏名、疾病名、経過期間、身体的特徴及び住所を対応づけて格納する電子カルテＴ２を複数蓄積する。患者ＩＤは、本発明の利用者識別情報に相当し、障害度情報データベース２０３との関連キーとなる。氏名は、患者ＩＤが示す患者の氏名である。疾病名は、患者が患う疾病の名称を示す。経過期間は、患者が疾病を患ってから現在までの経過期間を示し、重みテーブルＤ２の経過期間に相当する。身体的特徴は、患者が有する身体的な特徴を示し、重みテーブルＤ３の身体的特徴に相当する。電子カルテＴ２は、患者を担当する医療従事者により作成される。
【００２９】
住所は、患者の乗車地点として扱われ、住所の座標と病院の座標との距離、即ち患者の移動距離（キロメートル単位、以下同じ。）を算出するために用いられる。住所の座標は、各住所の座標を格納する座標一覧表（図示せず。以下同じ。）に基づいて導出される。座標一覧表は、補助記憶装置２１６に記憶されている。住所の座標及び病院の座標は下式をよって距離が算出される。
【００３０】
【数１】
0005136194.tif 000002
【００３１】
但し、住所の座標を（Ｘ１、Ｙ１）とし、病院の座標を（Ｘ２、Ｙ２）とする。
【００３２】
図８は区画情報データベース２０９の格納例を示す図、図９は区画の優劣度の設定例を示す図である。区画情報データベース２０９は、区画の優劣度と、区画識別情報である区画Ｎｏと、区画の空き状態を示す空きフラグと、その他の備考とを対応づけて格納する区画情報テーブルＴ３を複数蓄積する。区画の優劣度は、連絡口Ｇへの距離が近くなるほど高い値が設定されている（図９参照）。空きフラグは、区画が空き状態のときを‘０’とし、在車状態のときを‘１’と設定されている。区画情報テーブルＴ３は、事前予約をしている患者に割り当てるための予約エリア、予約をしていない初診の患者に割り当てるためのフリーエリア、両方の患者に割り当てるためのバッファエリアに分類されている。区画情報テーブルＴ３は、駐車場管理人により予め設定されている。
【００３３】
尚、優劣度は、例えば、午前中は来院患者が少ない、水曜日は企業の定期健康診断を担当するので来院患者が多いなど、病院の診療時間帯、曜日に応じて適宜変更される。また、車椅子を使用する患者には病院への連絡スロープＳ近傍の区画が割り当てられるように、これらの区画の備考には「車椅子」を示す値が格納されている。
【００３４】
このように、駐車場管理装置２は、上述した各種情報に基づいて所定の処理を実行する。そこで、以下駐車場管理装置２が実行する処理の手順について説明する。図１０は割当処理の手順を示すフローチャートである。
【００３５】
駐車場管理装置２の制御部２００は、入庫用カード読書装置１から患者ＩＤを受け付け（Ｓ１０１）、区画情報データベース２０９にアクセスし、空きフラグが‘０’であるか否か、即ち空き状態の区画があるか否かを判定する（Ｓ１０２）。その結果、制御部２００は、空き状態の区画がないと判定した場合（Ｓ１０２でＮＯ）、駐車場が満車であることを知らせる情報を入庫用カード読書装置１へ送信して入庫しようとする患者へ出力する。
【００３６】
一方、制御部２００は、空き状態の区画があると判定した場合（Ｓ１０２でＹＥＳ）、障害度情報データベース２０３にアクセスし、受け付けた患者ＩＤに対応する、この患者の障害度を障害度情報データベース２０３から抽出する（Ｓ１０３）。制御部２００は、重みによって障害度情報データベース２０３から抽出した障害度を補正する障害度補正処理を実行する（Ｓ１０４）。尚、障害度補正処理の手順については後述にて説明する。
【００３７】
制御部２００は、電子カルテデータベース２０４にアクセスし、患者ＩＤが示す患者の住所を抽出し、抽出した住所の座標を座標一覧表を参照して導出する。制御部２００は、導出した住所の座標と病院の座標との距離、即ち患者の移動距離を算出する移動距離算出処理を実行する（Ｓ１０５）。尚、移動距離算出処理の手順ついては後述にて説明する。
【００３８】
制御部２００は、患者の移動距離に点数係数（例えば、１００）を積算して移動点数を算出する。点数係数は、補助記憶部２１６に記憶されている。制御部２００は、算出した移動点数、及びステップＳ１０３で抽出した障害度又はステップＳ１０４で補正した障害度が所定の閾値以下であるか否か、即ち予め設定されている割当不要の範囲内であるか否かを判定する（Ｓ１０６）。
【００３９】
ここで区画割当を行うか否かを判定する方法について説明する。図１１は区画割当を行うか否かを判定する方法を説明するための図である。制御部２００は、例えば、Ｘ軸方向を患者の移動点数とし、Ｙ軸方向を患者の障害度とする２次元座標平面において、移動点数を０〜１，０００とし、障害度を０〜１，０００とする割当不要の範囲を予め設定しておき、患者の座標（移動点数、障害度）が割当不要の範囲内であるか否かを判定する。制御部２００は、この判定において、距離点数の大小より障害度の大小を優先する。
【００４０】
その結果、制御部２００は、移動点数などが割当不要の範囲内であると判定した場合（Ｓ１０６でＹＥＳ）、割り当てるべき区画がないことを知らせる情報を入庫用カード読書装置１へ送信して入庫しようとする患者へ出力する。
【００４１】
一方、制御部２００は、移動点数などが割当不要の範囲より外にあると判定した場合（Ｓ１０６でＮＯ）、移動点数と、ステップＳ１０３で抽出した障害度又はステップＳ１０４で補正した障害度との関係に対応する優劣度を優劣度一覧表（図示せず。以下同じ。）を参照して決定する（Ｓ１０７）。優劣度一覧表は、例えば、値１，００１〜２，０００に優劣度１１〜１５を対応付け、値２，００１〜３，０００に優劣度５〜１０を対応付け、値３，００１〜に優劣度１〜４を対応付けて格納し、補助記憶部２１６に記憶されている。尚、移動点数と、ステップＳ１０３で抽出した障害度又はステップＳ１０４で補正した障害度との関係とは、例えば、下式の関係をいう。
Ｚ2 ＝Ｍ2 ＋Ｎ2 
但し、障害度をＭとし、移動点数をＮとし、Ｚを移動点数と障害度との関係に基づく値とする。
【００４２】
制御部２００は、障害度が同点の場合、Ｚの値が高い患者に対してより高い値の優劣度の区画を割り当てる。また、制御部２００は、患者の身体的特徴が車椅子使用とされている場合、区画情報データベース２０９にアクセスし、夫れの備考が「車椅子」となっている区画のいずれかを割り当てる。
【００４３】
制御部２００は、区画情報データベース２０９にアクセスし、決定した優劣度に対応する区画識別情報を区画情報データベース２０９から抽出する（Ｓ１０８）。制御部２００は、抽出した区画識別情報を入庫用カード読書装置１へ出力する（Ｓ１０９）。入庫用カード読書装置１は、駐車場管理装置２から受け付けた区画識別情報を患者ＩＤに対応付け、駐車券に印字して入庫しようとする患者へ出力する。
【００４４】
制御部２００は、ステップＳ１０８で抽出した区画識別情報及び区画が在車状態であることを示す情報を受け付けたか否か、即ち該当する区画が在車状態であるか否かを所定時間が経過するまで判定し（Ｓ１１０）、該当する区画が在車状態ではないと判定した場合（Ｓ１１０でＮＯ）、割り当てた区画に駐車されていないと判断し、駐車場内に設置された警報器（図示せず。以下同じ。）を介して警告音を出力する。警告音は、所定時間が経過するまで出力される。
【００４５】
一方、制御部２００は、該当する区画が在車状態であると判定した場合（Ｓ１１０でＹＥＳ）、区画情報データベース２０９へアクセスし、該当する区画の空きフラグを‘１’にし（Ｓ１１１）、割当処理を終了する。
【００４６】
次に上述した割当処理のステップＳ１０４で実行される障害度補正処理の手順について説明する。図１２は障害度補正処理の手順を示すフローチャートである。駐車場管理装置２の制御部２００は、電子カルテデータベース２０４にアクセスし、患者ＩＤが示す患者が患う疾病の経過期間を読み出し（Ｓ２０１）、更に患者の身体的特徴を読み出す（Ｓ２０２）。
【００４７】
制御部２００は、重みテーブルＤ２にアクセスし、患者が患う疾病の経過期間に対応する重みを重みテーブルＤ２から抽出する（Ｓ２０３）。また制御部２００は、重みテーブルＤ３にアクセスし、患者の身体的特徴に対応する重みを重みテーブルＤ３から抽出する。
【００４８】
制御部２００は、抽出した重みを用いて、ステップＳ１０３で抽出した障害度又はステップＳ１０４で補正した障害度を補正し（Ｓ２０４）、次回処理の要求があるまで待機する。
【００４９】
また上述した割当処理のステップＳ１０５で実行される移動距離算出処理の手順を示すフローチャートを説明する。図１３は移動距離算出処理の手順を示すフローチャートである。駐車場管理装置２の制御部２００は、電子カルテデータベース２０４にアクセスし、患者ＩＤが示す患者の住所を読み出す（Ｓ３０１）。
【００５０】
制御部２００は、抽出した住所の座標を座標一覧表を参照して取得し（Ｓ３０２）、取得した住所の座標と病院の座標との距離を算出する（Ｓ３０３）。制御部２００は、算出した距離を患者の移動距離として扱う。制御部２００は、移動距離に対応する移動点数を算出し（Ｓ３０４）、算出した移動点数を患者が利用可能な移動手段に応じて補正し（Ｓ３０５）、次回処理の要求があるまで待機する。
【００５１】
移動点数の補正で用いる患者が利用可能な移動手段とは、例えば、患者が病院まで移動するために利用できる移動手段であって、駐車場に駐車する車両以外の移動手段をいい、例えば、公共バス又は電車などが該当する。また移動点数の補正は、車両による来院を抑止する目的として、患者の住所が公共バスのバス停から１キロメートル以内にある場合には移動点数から５００を減算し、患者の住所が電車の駅から１キロメートル以内にある場合には移動点数から１，０００を減算する。
【００５２】
上述した割当処理により割り当てられた区画に駐車していた車両が出庫する場合の処理の手順について説明する。図１４は出庫処理の手順を示すフローチャートである。
【００５３】
駐車場管理装置２の制御部２００は、出庫用カード読書装置３から患者ＩＤを受け付け（Ｓ４０１）、受け付けた患者ＩＤ示す患者に割り当てた区画の空きフラグを‘０’にし（Ｓ４０２）、出庫処理を終了する。
【００５４】
最後に駐車場管理装置２が実行する割当処理について、図に記載された具体的な値を用いて説明する。例えば、腕を骨折し、公共バスのバス停付近に居住して病院まで１２ｋｍ移動する必要があるＡ氏と、腕を骨折し、公共バスのバス停付近に居住して病院まで１２ｋｍ移動する必要がある６５歳のＢ氏と、足を骨折し、電車の駅付近に居住して病院まで２０ｋｍ移動する必要があるＣ氏とが駐車場を利用しようとする。
【００５５】
Ａ氏は、腕を骨折しているので、障害度８００ポイントが適用される（図４参照）。また、病院まで１２ｋｍ移動する必要があるので移動点数１２（ｋｍ）×１００＝１，２００ポイントが適用されるが、公共バスのバス停付近に居住しているので５００ポイントが減算され、最終的な移動点数１，２００（ポイント）−５００（ポイント）＝７００ポイントが適用される。その結果、障害度及び移動点数は、上述する割当不要の範囲内であるので（図１１参照）、駐車場を利用することができない。
【００５６】
次にＢ氏は、腕を骨折しているので、障害度８００ポイントが適用され（図４参照）、更に５０歳以上の高齢者であるので３，０００（ポイント）が加算され（図６参照）、最終的な障害度８００（ポイント）＋３，０００（ポイント）＝３，８００（ポイント）が適用される。また、病院まで１２ｋｍ移動する必要があるので移動点数１２（ｋｍ）×１００＝１，２００ポイントが適用されるが、公共バスのバス停付近に居住しているので５００ポイントが減算され、最終的な移動点数１．２００（ポイント）−５００（ポイント）＝７００（ポイント）が適用される。その結果、障害度は、上述した割当不要の範囲より外であるので（図１１参照）、駐車場を利用することができる。
【００５７】
次にＣ氏は、足を骨折しているので、障害度３，０００ポイントが適用される（図４参照）。また病院まで２０ｋｍ移動する必要があるので、移動点数２，０００ポイントが適用されるが、電車の駅付近に居住しているので１，０００ポイントが減算され、最終的な移動点数３，０００（ポイント）−１，０００（ポイント）＝２，０００ポイントが適用される。その結果、障害度及び移動点数は、上述した割当不要の範囲より外であるので（図１１参照）、駐車場を利用することができる。
【００５８】
またＢ氏又はＣ氏が同時に入庫を表明している場合、Ｂ氏にはＺの値３，８６４が適用され、Ｃ氏にはＺの値３，１６２が適用されるので、Ｂ氏に対して区画を優先的に割り当てる。
【００５９】
尚、上述した実施の形態において、駐車場管理装置２は入庫用カード読書装置１に診療カードを挿入した患者に対して区画を割り当て、割り当てた区画の識別情報を駐車券に印字して入庫用カード読書装置１から患者へ出力する一例を説明した。しかし、本発明は、これに限定されるものでなく、通信手段を有する携帯電話機又はパーソナルコンピュータで診療の予約時間及び患者ＩＤを受け付けて駐車場管理装置２へ送信し、駐車場管理装置２でこれらの情報を受け付けて上述した割当処理を実行して割り当てた区画の識別情報を携帯電話機などに出力し、入庫用カード読書装置１で携帯電話機などに記憶されている区画識別情報を読み出すことができる場合に入庫を許可するようにしてもよい。その結果、患者は、自らの障害度に応じた区画を予め確保しておくことができると共に、駐車場は、車両での来院が必要な患者に対して優先的に区画を提供することができる。
【００６０】
また、上述した実施の形態において、施設を病院とし、利用者を患者とする一例を説明したが、これに限定されるものでなく、老人ホーム、サナトリウムなどの疾病を患う患者が利用する医療施設であってもよい。
【００６１】
また、上述した実施の形態において、患者は入庫用カード読書装置１に診療カードを挿入する一例を説明したが、これに限定されるものでなく、利用者識別情報を記憶してある 入館カード、 保険医療カード（保険証）又は福祉カードなどであってもよい。
【００６２】
また、上述した実施の形態において、駐車場は平面式駐車場である一例を説明したが、これに限定されるものでなく、立体駐車場、自走式駐車場、機械式駐車場であってもよい。かかる場合、区画の優劣度は、所定の階に設けられた連絡口Ｇ又は連絡スロープＳへの距離が近くなるほど高い値が設定される。
【００６３】
上述した実施の形態に関し、更に以下の付記を開示する。
【００６４】
（付記１）
各種の施設に隣接されて駐車スペース毎に区切られた複数の区画を有する駐車場における前記区画の割当てを行う駐車場管理装置において、
施設の利用者を識別するための利用者識別情報と該利用者の身体障害の程度を示す障害度とを対応付けて格納する障害度情報データベースと、
前記区画の優劣を示す優劣度を該区画を識別するための区画識別情報に対応付けて格納する区画情報データベースと、
利用者識別情報を受付ける受付部と、
該受付部で受付けた利用者識別情報に対応する利用者の障害度を前記障害度情報データベースから抽出する障害度抽出部と、
該障害度抽出部で抽出した利用者の障害度に応じて利用者に割当てるべき区画の優劣度を決定する優劣度決定部と、
該優劣度決定部で決定した優劣度に対応する区画識別情報を前記区画情報データベースから抽出する区画抽出部と、
該区画抽出部で抽出した区画識別情報を前記受付部で受付けた利用者識別情報に対応付けて出力する出力部と
を備えることを特徴とする駐車場管理装置。
【００６５】
（付記２）
前記区画に駐車されていないことを示す空情報を該区画を示す区画識別情報と共に取得する空情報取得部と、
該空情報取得部で取得した空情報を区画識別情報に対応付けて前記区画情報データベースに格納する記憶制御部と
を更に備え、
前記区画抽出部は、空情報を対応付けてある区画識別情報のいずれかを割当てるべき区画を示す区画識別情報として抽出するようにしてあることを特徴とする付記１に記載の駐車場管理装置。
【００６６】
（付記３）
前記障害度は、利用者の歩行困難の度合いに応じて設定され、
前記優劣度は、区画と施設への連絡路との距離が近いほど高い値が設定され、
前記優劣度決定部は、利用者の障害度が大きくなるほど高い値の優劣度を決定するようにしてあることを特徴とする付記１又は２に記載の駐車場管理装置。
【００６７】
（付記４）
利用者の身体障害の原因となる疾病の治癒又は進行の度合いを取得する度合取得部と、
該度合取得部で取得した疾病の治癒又は進行の度合いに対応する重みによって該障害度抽出部で抽出した利用者の障害度に重付けを行う演算部と
を備え、
前記優劣度決定部は、前記演算部で重付けをした利用者の障害度に応じて利用者に割当てるべき区画の優劣度を決定するようにしてあることを特徴とする付記１乃至３のいずれかに記載の駐車場管理装置。
【００６８】
（付記５）
利用者の乗車地点を示す座標を取得する乗車地点取得部と、
該乗車地点取得部で取得した座標と前記施設の座標との距離に基づいて利用者の移動距離を算出する距離算出部と
を更に備え、
前記優劣度決定部は、利用者の障害度と前記距離算出部で算出した利用者の移動距離との関係に基づいて利用者に割当てるべき区画の優劣度を決定するようにしてあることを特徴とする付記１乃至４のいずれかに記載の駐車場管理装置。
【００６９】
（付記６）
該障害度抽出部で抽出した利用者の障害度が予め設定された所定の閾値以下である否かを判定する判定部
を備え、
前記区画抽出部は、利用者の障害度が所定の閾値以下であると前記判定部で判定した場合、区画識別情報を前記区画情報データベースから抽出しないようにしてあることを特徴とする付記１乃至５のいずれかに記載の駐車場管理装置。
【００７０】
（付記７）
コンピュータに、各種の施設に隣接されて駐車スペース毎に区切られた複数の区画を有する駐車場における前記区画の割当てさせるコンピュータプログラムにおいて、
利用者識別情報を受付けるステップと、
受付けた利用者識別情報に対応する利用者の障害度を、施設の利用者を識別するための利用者識別情報と該利用者の身体障害の程度を示す障害度とを対応付けて格納する障害度情報データベースから抽出させるステップと、
抽出した利用者の障害度に応じて利用者に割当てるべき区画の優劣度を決定させるステップと、
該優劣度決定部で決定した優劣度に対応する区画識別情報を、区画の優劣を示す優劣度を該区画を識別するための区画識別情報に対応付けて格納する区画情報データベースから抽出させるステップと、
抽出した区画識別情報を受付けた利用者識別情報に対応付けて出力させるステップと
をコンピュータに実行させることを特徴とするコンピュータプログラム。
【００７１】
（付記８）
前記区画に駐車されていないことを示す空情報を該区画を示す区画識別情報と共に取得させるステップと、
取得した空情報を区画識別情報に対応付けて前記区画情報データベースに格納させるステップと、
空情報を対応付けてある区画識別情報のいずれかを割当てるべき区画を示す区画識別情報として抽出させるステップと
をコンピュータに更に実行させることを特徴とする付記７に記載のコンピュータプログラム。
【００７２】
（付記９）
前記障害度は、利用者の歩行困難の度合いに応じて設定され、
前記優劣度は、区画と施設への連絡路との距離が近いほど高い値が設定され、
利用者の障害度が大きくなるほど高い値の優劣度を決定させるようにしてあることを特徴とする付記７又は８に記載のコンピュータプログラム。
【００７３】
（付記１０）
利用者の身体障害の原因となる疾病の治癒又は進行の度合いを取得させるステップと、
取得した疾病の治癒又は進行の度合いに対応する重みによって抽出した利用者の障害度に重付けを行わせるステップと、
重付けをした利用者の障害度に応じて利用者に割当てるべき区画の優劣度を決定させるステップと
をコンピュータに更に実行させることを特徴とする付記７乃至９のいずれかに記載のコンピュータプログラム。
【００７４】
（付記１１）
利用者の乗車地点を示す座標を取得させるステップと、
取得した座標と前記施設の座標との距離に基づいて利用者の移動距離を算出させるステップと、
利用者の障害度と算出した利用者の移動距離との関係に基づいて利用者に割当てるべき区画の優劣度を決定させるステップと
をコンピュータに更に実行させることを特徴とする付記７乃至１０のいずれかに記載のコンピュータプログラム。
【００７５】
（付記１２）
抽出した利用者の障害度が予め設定された所定の閾値以下である否かを判定させるステップと、
利用者の障害度が所定の閾値以下であると前記判定部で判定した場合、区画識別情報を前記区画情報データベースから抽出しないように制御するステップと
をコンピュータに更に実行させることを特徴付記７乃至１１のいずれかに記載のコンピュータプログラム。
【図面の簡単な説明】
【００７６】
【図１】本発明に係る駐車場管理装置を用いたシステムの全体構成を示す模式図である。
【図２】本発明に係る駐車場管理装置の構成を示すブロック図である。
【図３】障害度情報データベースの格納例を示す図である。
【図４】障害度一覧の格納例を示す図である。
【図５】重みテーブルの格納例を示す図である。
【図６】重みテーブルの格納例を示す図である。
【図７】電子カルテデータベースの格納例を示す図である。
【図８】区画情報データベースの格納例を示す図である。
【図９】区画の優劣度の設定例を示す図である。
【図１０】割当処理の手順を示すフローチャートである。
【図１１】区画割当を行うか否かを判定する方法を説明するための図である。
【図１２】障害度補正処理の手順を示すフローチャートである。
【図１３】移動距離算出処理の手順を示すフローチャートである。
【図１４】出庫処理の手順を示すフローチャートである。
【符号の説明】
【００７７】
１  入庫用カード読書装置
２  駐車場管理装置
２００  制御部
２０１  入力部
２０２  障害度抽出部
２０３  障害度情報データベース
２０４  電子カルテデータベース
２０５  度合取得部
２０６  演算部
２０７  判定部
２０８  優劣度決定部
２０９  区画情報データベース
２１０  区画抽出部
２１１  出力部
２１２  空情報取得部
２１３  記憶制御部
２１４  乗車位置取得部
２１５  距離算出部
２１６  補助記憶部
３  出庫用カード読書装置
４  在車センサ
【図１】
0005136194.tif 000003
【図２】
0005136194.tif 000004
【図３】
0005136194.tif 000005
【図４】
0005136194.tif 000006
【図５】
0005136194.tif 000007
【図６】
0005136194.tif 000008
【図７】
0005136194.tif 000009
【図８】
0005136194.tif 000010
【図９】
0005136194.tif 000011
【図１０】
0005136194.tif 000012
【図１１】
0005136194.tif 000013
【図１２】
0005136194.tif 000014
【図１３】
0005136194.tif 000015
【図１４】
0005136194.tif 000016